(57)【要約】【課題】  室内に通風と目隠しが出来る建具に、無風時にも室内に気流を発生させる強制換気機能を施した。自然の法則を利用し、都市気候や屋内における熱中症対策、ＣＯ２削減につながるエコロジー対応建具である。【解決手段】  ２列の横長遮光板を、間隔をおいて既存の窓内側に建具として設置する。窓側は固定し、室内側は上下動可能にして横長遮光板上にズレを作る。室外と室内に温度差があると気流が発生する。温度差が小さい時、又は無風状態の時は建具に付けた換気システムにより強制換気をする。【選択図】図１
2011089378.tif 000002
【特許請求の範囲】
【請求項１】
２枚の横長遮光板を対向させ、その間に一定の間を作ることで目隠しの調整が出来、通風できる。
【請求項２】
外窓枠体の横長遮光板は固定とし、左右へのスライドが可能で、横長遮光板の付いた内窓枠体は上下可動する事により目隠し調整が出来、通風できる。
【請求項３】
内窓枠体の一部に強制換気装置をつけることにより、無風の状態でも換気可能なエコロジー対応建具。
【発明の詳細な説明】
【技術分野】
【０００１】  この発明は、室内の通風と目隠しが出来る建具に強制換気機能を施した、可動する建具に関する発明である。
【背景技術】
【０００２】  従来、室内の空気は窓を開放するか、空気調節装置で気流を発生させていた。窓が１部屋に１箇所の部屋では空気の流れが生じにくい。これにより室内は外気温の流入のみが起こり、室内は高温になる。近年、家の中にいて熱中症が起きる事が認識されている。エアーコンディショニングでは、高い熱を屋外に放出し、ヒートアイランドと言われる都市気候が生じている。目隠し機能にブラインドがある。羽を上下させて目隠しをするが１００％視界を遮ると窓は閉鎖状態になる。
【発明の概要】
【発明が解決しようとする課題】  建具に通風と目隠し機能を持たせ、気象条件で起こる無風状態を解決する可動建具である。本発明はこれらを可能にする為になされたものである。【０００３】  本発明は、自然の気流を利用しながら、視界を遮蔽することが可能な建具に、強制換気機能と可動機能を持たせた建具である。これにより屋内で起こりうる熱中症、都市気候の緩和、癒し空間などを目的にしたエコロジー対応の発明である。
【発明を解決するための手段】
【０００４】  自然の気流は、空気圧と温度の高低により発生する。２列の横長遮光板を取り付け、一体化された建具を、既存の窓枠の内側に新設する。室外側の横長遮光板は固定し、間隔を置いた室内側は可動する。これにより目隠しをほぼ１００％にしても、２枚の横長遮光板に隔たりがあることで通風が妨げられない。
室外と室内に温度差があれば、高い温度と低い温度の間で気流が発生する。１箇所にしか窓がない部屋では、窓を開放しても換気が得られない。河川の湾処状態になり、流入した温度の高い空気を溜めてしまう（図７−１参照）。
窓または換気装置を新たに設置するには、大掛かりな工事（特に新設壁開口時に木造建築においては筋カイ、間柱等の欠損、鉄筋コンクリート造及び鉄骨造においては、耐震壁、鉄筋、鉄骨等の欠損が発生する可能性がある）、建築基準法、消防法などを経るため、経済的負担や長期の工事期間を要す（図７−２、３、４）。建具に一体化した換気機能を付けることで、前記の大掛かりな工事、建築物の欠損、経済的負担や長期の工事期間の必要が全く無く強制的に気流を発生させることが可能になる（図７−５、６、７）。
【本発明の効果】
【０００５】  本発明の通風と目隠しの調節を有する建具に、強制換気機能が付いたエコロジー対応建具は横長遮光板を目隠し状態としても、外窓枠体と内窓枠体との間に通風空間へ空気を通すことが出来るため、室内外の通気を確保することが出来、強制換気機能を作動した際はプライバシーが保て、無風状態においても室内換気が可能となる。
【０００６】  本発明建具の内窓枠体をコイルスプリングで吊り下げることにより、内窓枠体を上方に操作する際、キャッチ金物をワンタッチで解除する事により、手で持ち上げることなく安易に内窓枠体はコイルスプリングの引っ張る力により上方に可動する。
【発明を実施するための形態】
【０００７】  本発明に係る通風と目隠しの調節を有する建具に、強制換気機能が付いたエコロジー対応建具（以下、本発明建具という）について、図面に示す実施の形態に基づいて説明する。
【０００８】  図１から図６は、本発明建具の実施の形態を示すものである。図１は本発明建具Ａを駆体側枠（額縁等）Ｃの右側に配置し、目隠し状態としている正面図。図２は、図１のＡ−Ａ線で断面にて拡大した図。図３は本発明建具を非目隠し状態とした正面図。図４は図３のＢ−Ｂ線で断面して拡大した図。図５は本発明建具を横断面して拡大した図。図６は本発明建具Ａと駆体側枠（額縁等）Ｃの左側に配置し、目隠し状態としている正面図。
【０００９】  本発明建具は図１から図６に示す如く、四角に枠組した外窓枠体１の内側に上下移動可能に取り付けられた内窓枠体２を備え、外窓枠体１と内窓枠体の間に通風空間を形成して両窓枠体を対向させてあり、上部に強制換気機能をつけ、自然通風、強制通風を可能にした建具である。本発明品の素材は木質素材、合成樹脂素材、又は金属素材（鉄、もしくはアルミニウム等の非鉄金属）から形成されている。
【００１０】  前記外窓枠体１は左右方向に延びる不透明、又は半透明な板材からなる複数の外横長遮光板４を上下方向へ同一間隔寸法で配列させ、内窓枠体２にビス等又は接着剤等で接合して形成されている。外窓枠体１と内窓枠体２は同一の間隔で配列することにより、内窓枠体を上下すると目隠し状態、非目隠し状態を作ることが出来る。
【００１１】  前記内窓枠体２はコイルスプリング吊り下げ用ワイヤー（ピアノ線、針金等）５ａで吊り下げられたコイルスプリング５で常に引っ張られている状態にある。尚、内窓枠体２の形状、重量等により、両サイドにコイルスプリング５を取り付けることも出来る。
【００１２】  前記内窓枠体２は、外窓枠体下枠１ｂに取り付けた内窓枠体キャッチ金物７に内窓枠体下枠２ａに取り付けたフック８を差し込みキャッチすることで内窓枠体はロックされる。
又、内窓枠体キャッチ金物７を解錠すると、コイルスプリング５の引っ張る力で内窓枠体２は上に引っ張り上げられ、目隠し状態を形成する。
【００１３】  前記外窓枠体１の上部に強制換気装置１５を取り付けることにより、排気時には外窓枠体１と内窓枠体２との間に出来た空間を外気が通気し、又、給気時には外窓枠体１と内窓枠体２の間に出来た空間を室内空気が通過し、換気が行われる。又、強制換気装置１５に循環機能が付いている場合、作動することにより、室内空気の循環作用が作れる。
【００１４】  本発明建具Ａを既存外窓建具Ｂに左右移動させる場合、既存建具Ｂの内側枠Ｃの上部に本発明窓横スライド用上レール１０を取り付け、内側枠Ｃの下部に本発明建具横スライド用レール９を取り付けて、外窓下枠１ｂの下に戸車（１１）を可動するように取り付け、左右移動を可能にする。
【図面の簡単な説明】
【００１５】
【図１】本発明建具の実施の形態を示すものであって、本発明建具を駆体側枠の右側に配置して横長遮光板を目隠しの状態にした正面図である。
【図２】図１のＡ−Ａ線で断面して拡大し、上下の中間を省略した断面図である。
【図３】同実施の形態において本発明建具１の横長遮光板を非目隠し状態にした正面図である。
【図４】図３のＢ−Ｂ線で断面して拡大し、上下の中間を省略した断面図である。
【図５】図１のＣ−Ｃ線で断面して拡大した横断面図である。
【図６】同実施の形態において、本発明建具を駆体側枠体の左側に配置して目隠し状態にした正面図である。
【図７】屋内の空気の停滞により高温となる解決策として換気方法、空調方法を示した図である。
【符号の説明】
【００１６】  Ａ・・・本発明建具
Ｂ・・・既存外枠建具
Ｃ・・・枠（額縁等）
１・・・外窓枠体
１ａ・・・換気装置取付け用枠
１ｂ・・・外窓下枠
２・・・内窓枠体
２ａ・・・内窓下枠
３・・・内横長遮光板
４・・・外横長遮光板
５・・・コイルスプリング
５ａ・・・吊り下げワイヤー線
６・・・内窓枠体用レール
７・・・内窓枠体キャッチ金物
８・・・フック
９・・・本発明建具横スライド用下レール
１０・・・本発明建具横スライド用上レール
１１・・・戸車
１２・・・横長遮光板固定金物
１３・・・横長遮光板固定ビス
１４・・・目隠し板
１５・・・換気装置（図示は給排気、循環機能式）
１５ａ・・換気装置（図示は給排気式）
【図１】
2011089378.tif 000003
【図２】
2011089378.tif 000004
【図３】
2011089378.tif 000005
【図４】
2011089378.tif 000006
【図５】
2011089378.tif 000007
【図６】
2011089378.tif 000008
【図７】
2011089378.tif 000009